【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
共通シリアスバスを介して複数種類のデバイスのプロトコルを切り換えるためのデータ処理方法であって、
上記デバイスのプロトコルの種類に係わらない初期プロトコルを実行し、
上記初期プロトコルに続いて、上記複数種類のデバイス固有のプロトコルを実行し、
上記初期プロトコルは、上記共通シリアスバスによる同一ネットワーク上に存在する第１の種類のデバイスについてのトポロジ接続状態を調査する第１の調査処理を含むと共に、上記共通シリアスバスによる同一ネットワーク上に存在し、上記第１の種類のデバイスに対して出力する第２の種類のデバイスについてのトポロジ接続状態を調査する第２の調査処理を含むことを特徴とするデータ処理方法。
【請求項２】
上記第１及び第２の調査処理は各々、デバイスの機能を調査する第３の調査処理を含み、
上記初期プロトコルは、上記第１の調査処理で得られたトポロジ接続状態及び上記第３の調査処理で得られた複数のプロトコルに基づいて上記第１の種類のデバイスに対する実行すべきプロトコルを決定する処理と、上記第２の調査処理で得られたトポロジ接続状態及び上記第３の調査処理で得られた複数のプロトコルに基づいて上記第２の種類のデバイスに対する実行すべきプロトコルを決定する処理とを含むことを特徴とする請求項１に記載のデータ処理方法。
【請求項３】
上記第１の調査処理は、デバイスとしてのプリンタの状態及び能力を含む情報を得る処理を含み、
上記第２の調査処理は、デバイスとしてのイメージ入力装置の状態及び能力を含む情報を得る処理を含むことを特徴とする請求項１に記載のデータ処理方法。
【請求項４】
上記プリンタに固有のプロトコルの実行後に、プリントすべき画像データを上記イメージ入力装置から上記プリンタに対して伝送することを特徴とする請求項３に記載のデータ処理方法。
【請求項５】
上記共通シリアルバスは、ＩＥＥＥ１３９４規格に適合したバス、またはＵＳＢ規格に適合したバスであることを特徴とする請求項１に記載のデータ処理方法。
【請求項６】
上記初期プロトコルは、ＯＳＩモデルのデータリンク層よりも上位の層で実行されるプロトコルであることを特徴とする請求項１に記載のデータ処理方法。
【請求項７】
共通シリアスバスを介して複数種類のデバイスのプロトコルを切り換えるためのデータ処理装置であって、
上記デバイスのプロトコルの種類に係わらない初期プロトコルを実行する第１の実行手段と、
上記初期プロトコルに続いて、上記複数種類のデバイス固有のプロトコルを実行する第２の実行手段とを備え、
上記初期プロトコルは、上記共通シリアスバスによる同一ネットワーク上に存在する第１の種類のデバイスについてのトポロジ接続状態を調査する第１の調査処理を含むと共に、上記共通シリアスバスによる同一ネットワーク上に存在し、上記第１の種類のデバイスに対して出力する第２の種類のデバイスについてのトポロジ接続状態を調査する第２の調査処理を含むことを特徴とするデータ処理装置。
【請求項８】
上記第１及び第２の調査処理は各々、デバイスの機能を調査する第３の調査処理を含み、
上記初期プロトコルは、上記第１の調査処理で得られたトポロジ接続状態及び上記第３の調査処理で得られた複数のプロトコルに基づいて上記第１の種類のデバイスに対する実行すべきプロトコルを決定する処理と、上記第２の調査処理で得られたトポロジ接続状態及び上記第３の調査処理で得られた複数のプロトコルに基づいて上記第２の種類のデバイスに対する実行すべきプロトコルを決定する処理とを含むことを特徴とする請求項７に記載のデータ処理装置。
【請求項９】
上記第１の調査処理は、デバイスとしてのプリンタの状態及び能力を含む情報を得る処理を含み、
上記第２の調査処理は、デバイスとしてのイメージ入力装置の状態及び能力を含む情報を得る処理を含むことを特徴とする請求項７に記載のデータ処理装置。
【請求項１０】
上記第２の実行手段は、上記プリンタに固有のプロトコルの実行後に、プリントすべき画像データを上記イメージ入力装置から上記プリンタに対して伝送することを特徴とする請求項９に記載のデータ処理装置。
【請求項１１】
共通シリアスバスを介して複数のプロトコルをホストデバイスに対応して切り換えるプリンタであって、
上記プロトコルの種類に係わらない初期プロトコルを実行する実行手段と、
上記初期プロトコルに続いて、自機器に固有のプロトコルを実行した後、印字データを受信する受信手段とを備え、
上記初期プロトコルは、上記共通シリアスバスによる同一ネットワーク上に存在する自機器についてのトポロジ接続状態を調査する第１の調査処理を含むと共に、上記共通シリアスバスによる同一ネットワーク上に存在し、自機器に対して画像出力するイメージ入力装置についてのトポロジ接続状態を調査する第２の調査処理を含むことを特徴とするプリンタ。
【請求項１２】
共通シリアスバスを介して複数種類のデバイスのプロトコルを切り換えるデータ処理ステップをコンピュータに実行させるためのプログラムを格納する記憶媒体であって、
上記データ処理ステップは、上記デバイスのプロトコルの種類に係わらない初期プロトコルを実行する第１の実行ステップと、上記初期プロトコルに続いて、上記複数種類のデバイスに固有のプロトコルを実行する第２の実行ステップとを含み、
上記初期プロトコルは、上記共通シリアスバスによる同一ネットワーク上に存在する第１の種類のデバイスについてのトポロジ接続状態を調査する第１の調査処理を含むと共に、上記共通シリアスバスによる同一ネットワーク上に存在し、上記第１の種類のデバイスに対して出力する第２の種類のデバイスについてのトポロジ接続状態を調査する第２の調査処理を含むことを特徴とする記憶媒体。
【請求項１３】
共通シリアスバスを介して複数種類のデバイスのプロトコルを切り換えるためのデータ処理方法であって、
上記デバイスのプロトコルの種類に係わらない初期プロトコルを実行し、上記共通シリアスバスによる同一ネットワーク上に存在し、特定の種類のデバイスに対してデータを出力する種類のデバイスについてのトポロジ接続状態を調査する調査処理を含むことを特徴とするデータ処理方法。
【請求項１４】
共通シリアスバスを介して複数種類のデバイスのプロトコルを切り換えるためのデータ処理装置であって、
上記デバイスのプロトコルの種類に係わらない初期プロトコルを実行し、上記共通シリアスバスによる同一ネットワーク上に存在し、特定の種類のデバイスに対してデータを出力する種類のデバイスについてのトポロジ接続状態を調査する調査処理手段を備えることを特徴とするデータ処理装置。
【請求項１５】
共通シリアスバスを介して複数種類のデバイスのプロトコルを切り換えるデータ処理ステップをコンピュータに実行させるためのプログラムを格納する記憶媒体であって、
上記データ処理ステップは、上記デバイスのプロトコルの種類に係わらない初期プロトコルを実行し、上記共通シリアスバスによる同一ネットワーク上に存在し、特定の種類のデバイスに対してデータを出力する種類のデバイスについてのトポロジ接続状態を調査する調査処理ステップを含むことを特徴とする記憶媒体。
【請求項１６】
複数の種類のデバイスに対してプロトコルを切り換えるデータ処理方法であって、
切り換えられるプロトコルに係らない初期プロトコルを実行するステップと、
前記初期プロトコルの後、複数の種類のデバイスそれぞれに対応するプロトコルを実行するステップとを有し、
前記初期プロトコルは、ネットワーク上の第１の種類のデバイスのトポロジ接続状態を調査する処理と、前記第１の種類のデバイスにデータを出力する第２の種類のデバイスのトポロジ接続状態を調査する処理とを含むことを特徴とするデータ処理方法。
【請求項１７】
複数の種類のデバイスに対してプロトコルを切り換えるデータ処理装置であって、
切り換えられるプロトコルに係らない初期プロトコルを実行する手段と、
前記初期プロトコルの後、複数の種類のデバイスそれぞれに対応するプロトコルを実行する手段とを有し、
前記初期プロトコルは、ネットワーク上の第１の種類のデバイスのトポロジ接続状態を調査する処理と、前記第１の種類のデバイスにデータを出力する第２の種類のデバイスのトポロジ接続状態を調査する処理とを含むことを特徴とするデータ処理装置。
【請求項１８】
複数の種類のデバイスに対してプロトコルを切り換えるデータ処理ステップをコンピュータに実行させるためのプログラムを格納する記憶媒体であって、
上記データ処理ステップは、
切り換えられるプロトコルに係らない初期プロトコルを実行するステップと、
前記初期プロトコルの後、複数の種類のデバイスそれぞれに対応するプロトコルを実行するステップとを有し、
前記初期プロトコルは、ネットワーク上の第１の種類のデバイスのトポロジ接続状態を調査する処理と、前記第１の種類のデバイスにデータを出力する第２の種類のデバイスのトポロジ接続状態を調査する処理とを含むことを特徴とする記憶媒体。
【手続補正２】
【補正対象書類名】明細書
【補正対象項目名】０００５
【補正方法】変更
【補正の内容】
【０００５】
【課題を解決するための手段】
本発明のデータ処理方法は、共通シリアスバスを介して複数種類のデバイスのプロトコルを切り換えるためのデータ処理方法であって、上記デバイスのプロトコルの種類に係わらない初期プロトコルを実行し、上記初期プロトコルに続いて、上記複数種類のデバイス固有のプロトコルを実行し、上記初期プロトコルは、上記共通シリアスバスによる同一ネットワーク上に存在する第１の種類のデバイスについてのトポロジ接続状態を調査する第１の調査処理を含むと共に、上記共通シリアスバスによる同一ネットワーク上に存在し、上記第１の種類のデバイスに対して出力する第２の種類のデバイスについてのトポロジ接続状態を調査する第２の調査処理を含む。
【手続補正３】
【補正対象書類名】明細書
【補正対象項目名】０００６
【補正方法】変更
【補正の内容】
【０００６】
本発明のデータ処理方法における他の態様は、上記第１及び第２の調査処理は各々、デバイスの機能を調査する第３の調査処理を含み、上記初期プロトコルは、上記第１の調査処理で得られたトポロジ接続状態及び上記第３の調査処理で得られた複数のプロトコルに基づいて上記第１の種類のデバイスに対する実行すべきプロトコルを決定する処理と、上記第２の調査処理で得られたトポロジ接続状態及び上記第３の調査処理で得られた複数のプロトコルに基づいて上記第２の種類のデバイスに対する実行すべきプロトコルを決定する処理とを含む。
【手続補正４】
【補正対象書類名】明細書
【補正対象項目名】０００７
【補正方法】変更
【補正の内容】
【０００７】
また、本発明のデータ処理方法におけるその他の態様は、上記第１の調査処理は、デバイスとしてのプリンタの状態及び能力を含む情報を得る処理を含み、上記第２の調査処理は、デバイスとしてのイメージ入力装置の状態及び能力を含む情報を得る処理を含む。
【手続補正５】
【補正対象書類名】明細書
【補正対象項目名】０００８
【補正方法】変更
【補正の内容】
【０００８】
また、本発明のデータ処理方法におけるその他の態様は、上記プリンタに固有のプロトコルの実行後に、プリントすべき画像データを上記イメージ入力装置から上記プリンタに対して伝送する。
【手続補正６】
【補正対象書類名】明細書
【補正対象項目名】０００９
【補正方法】変更
【補正の内容】
【０００９】
また、本発明のデータ処理方法におけるその他の態様は、上記共通シリアルバスは、ＩＥＥＥ１３９４規格に適合したバス、またはＵＳＢ規格に適合したバスである。
【手続補正７】
【補正対象書類名】明細書
【補正対象項目名】００１０
【補正方法】変更
【補正の内容】
【００１０】
また、本発明のデータ処理方法におけるその他の態様は、上記初期プロトコルは、ＯＳＩモデルのデータリンク層よりも上位の層で実行されるプロトコルである。
【手続補正８】
【補正対象書類名】明細書
【補正対象項目名】００１１
【補正方法】変更
【補正の内容】
【００１１】
また、本発明のデータ処理方法におけるその他の態様は、共通シリアスバスを介して複数種類のデバイスのプロトコルを切り換えるためのデータ処理方法であって、上記デバイスのプロトコルの種類に係わらない初期プロトコルを実行し、上記共通シリアスバスによる同一ネットワーク上に存在し、特定の種類のデバイスに対してデータを出力する種類のデバイスについてのトポロジ接続状態を調査する調査処理を含む。
【手続補正９】
【補正対象書類名】明細書
【補正対象項目名】００１２
【補正方法】変更
【補正の内容】
【００１２】
また、本発明のデータ処理方法におけるその他の態様は、複数の種類のデバイスに対してプロトコルを切り換えるデータ処理方法であって、切り換えられるプロトコルに係らない初期プロトコルを実行するステップと、前記初期プロトコルの後、複数の種類のデバイスそれぞれに対応するプロトコルを実行するステップとを有し、前記初期プロトコルは、ネットワーク上の第１の種類のデバイスのトポロジ接続状態を調査する処理と、前記第１の種類のデバイスにデータを出力する第２の種類のデバイスのトポロジ接続状態を調査する処理とを含む。
【手続補正１０】
【補正対象書類名】明細書
【補正対象項目名】００１３
【補正方法】変更
【補正の内容】
【００１３】
また、本発明のデータ処理装置は、共通シリアスバスを介して複数種類のデバイスのプロトコルを切り換えるためのデータ処理装置であって、上記デバイスのプロトコルの種類に係わらない初期プロトコルを実行する第１の実行手段と、上記初期プロトコルに続いて、上記複数種類のデバイス固有のプロトコルを実行する第２の実行手段とを備え、上記初期プロトコルは、上記共通シリアスバスによる同一ネットワーク上に存在する第１の種類のデバイスについてのトポロジ接続状態を調査する第１の調査処理を含むと共に、上記共通シリアスバスによる同一ネットワーク上に存在し、上記第１の種類のデバイスに対して出力する第２の種類のデバイスについてのトポロジ接続状態を調査する第２の調査処理を含む。
【手続補正１１】
【補正対象書類名】明細書
【補正対象項目名】００１４
【補正方法】変更
【補正の内容】
【００１４】
本発明のデータ処理装置における他の態様は、上記第１及び第２の調査処理は各々、デバイスの機能を調査する第３の調査処理を含み、上記初期プロトコルは、上記第１の調査処理で得られたトポロジ接続状態及び上記第３の調査処理で得られた複数のプロトコルに基づいて上記第１の種類のデバイスに対する実行すべきプロトコルを決定する処理と、上記第２の調査処理で得られたトポロジ接続状態及び上記第３の調査処理で得られた複数のプロトコルに基づいて上記第２の種類のデバイスに対する実行すべきプロトコルを決定する処理とを含む。
【手続補正１２】
【補正対象書類名】明細書
【補正対象項目名】００１５
【補正方法】変更
【補正の内容】
【００１５】
また、本発明のデータ処理装置におけるその他の態様は、上記第１の調査処理は、デバイスとしてのプリンタの状態及び能力を含む情報を得る処理を含み、上記第２の調査処理は、デバイスとしてのイメージ入力装置の状態及び能力を含む情報を得る処理を含む。
【手続補正１３】
【補正対象書類名】明細書
【補正対象項目名】００１６
【補正方法】変更
【補正の内容】
【００１６】
また、本発明のデータ処理装置におけるその他の態様は、上記第２の実行手段は、上記プリンタに固有のプロトコルの実行後に、プリントすべき画像データを上記イメージ入力装置から上記プリンタに対して伝送する。
【手続補正１４】
【補正対象書類名】明細書
【補正対象項目名】００１７
【補正方法】変更
【補正の内容】
【００１７】
また、本発明のデータ処理装置におけるその他の態様は、共通シリアスバスを介して複数種類のデバイスのプロトコルを切り換えるためのデータ処理装置であって、上記デバイスのプロトコルの種類に係わらない初期プロトコルを実行し、上記共通シリアスバスによる同一ネットワーク上に存在し、特定の種類のデバイスに対してデータを出力する種類のデバイスについてのトポロジ接続状態を調査する調査処理手段を備える。
【手続補正１５】
【補正対象書類名】明細書
【補正対象項目名】００１８
【補正方法】変更
【補正の内容】
【００１８】
また、本発明のデータ処理装置におけるその他の態様は、複数の種類のデバイスに対してプロトコルを切り換えるデータ処理装置であって、切り換えられるプロトコルに係らない初期プロトコルを実行する手段と、前記初期プロトコルの後、複数の種類のデバイスそれぞれに対応するプロトコルを実行する手段とを有し、前記初期プロトコルは、ネットワーク上の第１の種類のデバイスのトポロジ接続状態を調査する処理と、前記第１の種類のデバイスにデータを出力する第２の種類のデバイスのトポロジ接続状態を調査する処理とを含む。
【手続補正１６】
【補正対象書類名】明細書
【補正対象項目名】００１９
【補正方法】変更
【補正の内容】
【００１９】
本発明のプリンタは、共通シリアスバスを介して複数のプロトコルをホストデバイスに対応して切り換えるプリンタであって、上記プロトコルの種類に係わらない初期プロトコルを実行する実行手段と、上記初期プロトコルに続いて、自機器に固有のプロトコルを実行した後、印字データを受信する受信手段とを備え、上記初期プロトコルは、上記共通シリアスバスによる同一ネットワーク上に存在する自機器についてのトポロジ接続状態を調査する第１の調査処理を含むと共に、上記共通シリアスバスによる同一ネットワーク上に存在し、自機器に対して画像出力するイメージ入力装置についてのトポロジ接続状態を調査する第２の調査処理を含む。
【手続補正１７】
【補正対象書類名】明細書
【補正対象項目名】００２０
【補正方法】変更
【補正の内容】
【００２０】
本発明の記憶媒体は、共通シリアスバスを介して複数種類のデバイスのプロトコルを切り換えるデータ処理ステップをコンピュータに実行させるためのプログラムを格納する記憶媒体であって、上記データ処理ステップは、上記デバイスのプロトコルの種類に係わらない初期プロトコルを実行する第１の実行ステップと、上記初期プロトコルに続いて、上記複数種類のデバイスに固有のプロトコルを実行する第２の実行ステップとを含み、上記初期プロトコルは、上記共通シリアスバスによる同一ネットワーク上に存在する第１の種類のデバイスについてのトポロジ接続状態を調査する第１の調査処理を含むと共に、上記共通シリアスバスによる同一ネットワーク上に存在し、上記第１の種類のデバイスに対して出力する第２の種類のデバイスについてのトポロジ接続状態を調査する第２の調査処理を含む。
【手続補正１８】
【補正対象書類名】明細書
【補正対象項目名】００２１
【補正方法】変更
【補正の内容】
【００２１】
本発明の記憶媒体における他の態様は、共通シリアスバスを介して複数種類のデバイスのプロトコルを切り換えるデータ処理ステップをコンピュータに実行させるためのプログラムを格納する記憶媒体であって、上記データ処理ステップは、上記デバイスのプロトコルの種類に係わらない初期プロトコルを実行し、上記共通シリアスバスによる同一ネットワーク上に存在し、特定の種類のデバイスに対してデータを出力する種類のデバイスについてのトポロジ接続状態を調査する調査処理ステップを含む。
【手続補正１９】
【補正対象書類名】明細書
【補正対象項目名】００２２
【補正方法】変更
【補正の内容】
【００２２】
また、本発明の記憶媒体におけるその他の態様は、複数の種類のデバイスに対してプロトコルを切り換えるデータ処理ステップをコンピュータに実行させるためのプログラムを格納する記憶媒体であって、上記データ処理ステップは、切り換えられるプロトコルに係らない初期プロトコルを実行するステップと、前記初期プロトコルの後、複数の種類のデバイスそれぞれに対応するプロトコルを実行するステップとを有し、前記初期プロトコルは、ネットワーク上の第１の種類のデバイスのトポロジ接続状態を調査する処理と、前記第１の種類のデバイスにデータを出力する第２の種類のデバイスのトポロジ接続状態を調査する処理とを含む。
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】削除
【補正の内容】
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】